【手続補正書】
【提出日】平成19年12月13日(2007.12.13)
【手続補正１】
【補正対象書類名】明細書
【補正対象項目名】特許請求の範囲
【補正方法】変更
【補正の内容】
【特許請求の範囲】
【請求項１】配列番号：１７で表されるアミノ酸配列と同一もしくは実質的に同一のアミノ酸配列を含有することを特徴とするポリぺプチドもしくはそのアミドもしくはそのエステルまたはその塩。
【請求項２】（ａ）配列番号：１７に記載のアミノ酸配列；または
（ｂ）配列番号：１７に記載のアミノ酸配列において、１もしくは数個のアミノ酸が欠失、置換もしくは付加されたアミノ酸配列；
を含有し、かつ血圧降下作用または平滑筋収縮作用を示す、請求項１に記載のポリぺプチドもしくはそのアミドもしくはそのエステルまたはその塩。
【請求項３】配列番号：１７で表されるアミノ酸配列を含有するポリペプチドもしくはそのアミドもしくはそのエステルまたはその塩。
【請求項４】配列番号：７で表されるアミノ酸配列と同一もしくは実質的に同一のアミノ酸配列を含有することを特徴とする請求項１記載のポリぺプチドもしくはそのアミドもしくはそのエステルまたはその塩。
【請求項５】（ｃ）配列番号：７に記載のアミノ酸配列；または
（ｄ）配列番号：７に記載のアミノ酸配列において１もしくは数個のアミノ酸が欠失、置換もしくは付加されたアミノ酸配列；
を含有し、かつ血圧降下作用または平滑筋収縮作用を示す、請求項４記載のポリぺプチドもしくはそのアミドもしくはそのエステルまたはその塩。
【請求項６】配列番号：３、配列番号：１３または配列番号：２０で表されるアミノ酸配列と同一もしくは実質的に同一のアミノ酸配列を含有することを特徴とする請求項１記載のポリぺプチドもしくはそのアミドもしくはそのエステルまたはその塩。
【請求項７】（ｅ）配列番号：３、配列番号：１３もしくは配列番号：２０で表されるアミノ酸配列；または
（ｆ）配列番号：３、配列番号：１３もしくは配列番号：２０で表されるアミノ酸配列において、１もしくは数個のアミノ酸が欠失、置換もしくは付加されたアミノ酸配列；
を含有する、請求項６記載のポリぺプチドもしくはそのアミドもしくはそのエステルまたはその塩。
【請求項８】配列番号：１７で表されるアミノ酸配列と同一もしくは実質的に同一のアミノ酸配列が配列番号：３４、配列番号：３５、配列番号：３６、配列番号：３７または配列番号：３８で表されるアミノ酸配列である請求項１記載のポリぺプチドもしくはそのアミドもしくはそのエステルまたはその塩。
【請求項９】配列番号：３２で表されるアミノ酸配列と同一もしくは実質的に同一のアミノ酸配列を含有することを特徴とするポリぺプチドもしくはそのアミドもしくはそのエステルまたはその塩。
【請求項１０】（ｇ）配列番号：３２に記載のアミノ酸配列；または
（ｈ）配列番号：３２に記載のアミノ酸配列において１もしくは数個のアミノ酸が欠失、置換もしくは付加されたアミノ酸配列；
を含有し、かつ血圧降下作用または平滑筋収縮作用を示す、請求項９記載のポリぺプチドもしくはそのアミドもしくはそのエステルまたはその塩。
【請求項１１】配列番号：２２で表されるアミノ酸配列と同一もしくは実質的に同一のアミノ酸配列を含有することを特徴とする請求項１０記載のポリぺプチドもしくはそのアミドもしくはそのエステルまたはその塩。
【請求項１２】（ｉ）配列番号：２２に記載のアミノ酸配列；または
（ｊ）配列番号：２２に記載のアミノ酸配列において１もしくは数個のアミノ酸が欠失、置換もしくは付加されたアミノ酸配列；
を含有し、かつ血圧降下作用または平滑筋収縮作用を示す、請求項１１記載のポリぺプチドもしくはそのアミドもしくはそのエステルまたはその塩。
【請求項１３】配列番号：３２で表されるアミノ酸配列と同一もしくは実質的に同一のアミノ酸配列が配列番号：２３、配列番号：２４、配列番号：２５、配列番号：２６、配列番号：２７または配列番号：３９で表されるアミノ酸配列である請求項９記載のポリぺプチドもしくはそのアミドもしくはそのエステルまたはその塩。
【請求項１４】配列番号：１７で表されるアミノ酸配列と同一もしくは実質的に同一のアミノ酸配列および配列番号：３２で表されるアミノ酸配列と同一もしくは実質的に同一のアミノ酸配列を含有することを特徴とする請求項１または請求項９記載のポリぺプチドもしくはそのアミドもしくはそのエステルまたはその塩。
【請求項１５】配列番号：１７で表されるアミノ酸配列と実質的に同一のアミノ酸配列、かつ、配列番号：３２で表されるアミノ酸配列を含有することを特徴とする請求項１または請求項１０記載のポリぺプチドもしくはそのアミドもしくはそのエステルまたはその塩。
【請求項１６】請求項１または請求項９記載のポリペプチドもしくはそのアミドまたはその塩。
【請求項１７】Ｃ末端のカルボキシル基がアミド化されている請求項１または請求項９記載のポリペプチドまたはその塩。
【請求項１８】請求項１または請求項９記載のポリペプチドをコードするポリヌクレオチドを含有するポリヌクレオチド。
【請求項１９】ＤＮＡである請求項１８記載のポリヌクレオチド。
【請求項２０】配列番号：４、配列番号：１４、配列番号：２１、配列番号：２９、配列番号：３０、配列番号：３１または配列番号：３３で表される塩基配列を有する請求項１８記載のポリヌクレオチド。
【請求項２１】（ｋ）配列番号：４、配列番号：１４、配列番号：２１、配列番号：２９もしくは配列番号：３０のポリヌクレオチド；または
（ｌ）配列番号：４、配列番号：１４、配列番号：２１、配列番号：２９もしくは配列番号：３０のポリヌクレオチドにストリンジェントな条件下でハイブリダイズし、かつ血圧降下作用または平滑筋収縮作用を示すポリペプチドをコードするポリヌクレオチド。
【請求項２２】請求項１８記載のポリヌクレオチドを含有する組み換えベクター。
【請求項２３】請求項２２記載のベクターで形質転換された形質転換体。
【請求項２４】請求項２３記載の形質転換体を培養し、請求項１または請求項９記載のポリペプチドを生成、蓄積せしめ、これを採取することを特徴とする請求項１または請求項９記載のポリペプチドもしくはそのアミドもしくはそのエステルまたはその塩の製造方法。
【請求項２５】請求項１８記載のポリヌクレオチドまたは請求項２２記載のベクターを導入された非ヒトトランスジェニック動物。
【請求項２６】請求項１もしくは請求項９記載のポリペプチドもしくはそのアミドもしくはそのエステルまたはその塩に対する抗体。
【請求項２７】請求項２６記載の抗体を含有してなる診断薬。
【請求項２８】請求項２６記載の抗体を用いることを特徴とする請求項１もしくは請求項９記載のポリペプチドの定量方法。
【請求項２９】請求項１もしくは請求項９記載のポリペプチドもしくはそのアミドもしくはそのエステルまたはその塩を用いることを特徴とする請求項１もしくは請求項９記載のポリペプチドもしくはそのアミドもしくはそのエステルまたはその塩に対するアンタゴニストまたはアゴニストのスクリーニング方法。
【請求項３０】請求項１もしくは請求項９記載のポリペプチドもしくはそのアミドもしくはそのエステルまたはその塩を含有してなる、請求項１もしくは請求項９記載のポリペプチドもしくはそのアミドもしくはそのエステルまたはその塩に対するアンタゴニストまたはアゴニストのスクリーニング用キット。
【請求項３１】請求項１もしくは請求項９記載のポリペプチドもしくはそのアミドもしくはそのエステルまたはその塩を含有してなる医薬組成物。
【請求項３２】高血圧症の予防・治療剤である請求項３１記載の医薬組成物。
【請求項３３】請求項１８記載のポリヌクレオチドと相補的な塩基配列またはその一部を含有してなるポリヌクレオチド。
【請求項３４】請求項１８記載のポリヌクレオチドまたはその一部を用いることを特徴とする請求項１もしくは請求項９記載のポリペプチドもしくはそのアミドもしくはそのエステルまたはその塩のｍＲＮＡの定量方法。